(57)【特許請求の範囲】
【請求項１】
外周壁部と、該外周壁部の中間において内周から奥側に傾斜して差出されている受止壁部と、該受止壁部の内周縁から奥側に向けて一体的に続いている内周壁部と、該外周壁部の内周において該受止壁部の前側に形成されている芯出しリング装着溝とからなり、ゴム、エラストマーまたは可撓性プラスチックを材料とすることを特徴とする緩衝リング
【請求項２】
管端部に段部を介して拡径形成された管受口部であって、該受口部の内周においては先端部にゴム輪装着溝が形成されており、奥端部には緩衝リング装着溝が形成されており、該ゴム輪装着溝にはゴム輪が装着され、該緩衝リング装着溝には請求項１の緩衝リングが装着され、該緩衝リングの内周壁部の端縁は該受口部奥端の段部内側段面に当接しており、該緩衝リングの芯出しリング装着溝には芯出しリングが装着されていることを特徴とする管受口部構造
【発明の詳細な説明】
【０００１】
【発明の属する技術分野】
本発明は例えば排水ますにおいて、排水管を接続するために設けられる管受口部に装着される緩衝リング、および該緩衝リングを装着した管受口部に関するものである。
【０００２】
【従来の技術】
図９に示すように、例えば排水ます（１）  はます本体部（２）  と、該ます本体部（２）  上側開口部に設けられる点検筒（９）  の受口部（３）  と、該ます本体部（２）  の側周面から差出されている本流管（１０，１０）  の受口部（４）  および挿口部（５）  と、更に該ます本体部（２）  の側周面から差出されている枝管（１１）の受口部（６）  とからなる。上記排水ます（１）  にあっては、地震等の地殻変動によって本流管（１０）に奥方向の外力（押込み力）が及ぼされ、該本流管（１０）が受口部（４）  よります本体部（２）  内に押込まれてしまう場合がある。このような場合には該本流管（１０）が干渉して点検筒（９）  から排水ます（１）  内部を点検、清掃するすることが困難になる。
図１０に示すように該本流管（１０）は該受口部（４）  のゴム輪装着溝（７）  に装着されているゴム輪（１２）を介して該受口部（４）  内に摺動可能に接続されているが、従来、上記本流管（１０）がます本体部（２）  内に押し込まれるのを防止するために、該受口部（４）  の奥端段面（８）  と該本流管（１０）の接続端の間に円筒状ゴムチューブ（１３）を介在させる構成が提供されている。
【０００３】
該ゴムチューブ（１３）は外面に周方向溝（１３Ａ）  の複数条が形成されることによって軸方向に伸縮可能とされており、該本流管（１０）に押込み力が及ぼされると、該ゴムチューブ（１３）は軸方向に収縮変形して該外力を吸収し、該本流管（１０）がます本体部（２）  内に押込まれるのを防止する。
【０００４】
【発明が解決しようとする問題点】
上記従来構成では、ゴムチューブの軸方向の縮小巾が小さいので、大きな外力が及ぼされた場合には該外力を完全に吸収することが出来ず、管あるいは受口部が破損するおそれがあった。
【０００５】
【課題を解決するための手段】
本発明は上記従来の課題を解決するための手段として、外周壁部（２２）該外周壁（２２）部の中間において内周から奥側に傾斜して差出されている受止壁部（２３）と、該受止壁部（２３）の内周縁から奥側に向けて一体的に続いている内周壁部（２４）と、該外周壁部（２２）の内周において該受止壁部（２３）の前側に形成されている芯出しリング装着溝（２５Ａ）  とからなり、ゴム、エラストマー、または可撓性プラスチックを材料とする緩衝リング（２１）を提供するものである。
更に管端部に段部（１７）を介して拡径形成された管受口部（１６）であって、該受口部（１６）の内周においては先端部にゴム輪装着溝（１８）が形成されており、奥端部には緩衝リング装着溝（１９）が形成されており、該ゴム輪装着溝（１８）にはゴム輪（２０）が装着され、該緩衝リング装着溝（１９）には上記緩衝リング（２５）が装着され、該緩衝リング（２５）の内周壁部（２４）の端縁は該受口部（１６）奥端の段部（１７）内側段面（１７Ａ）  に当接しており、該緩衝リング（２１）の芯出しリング装着溝（２５Ａ）  には芯出しリング（２５）が装着されている管受口部構造を提供するものである。
【０００６】
【作用】
該管受口部（６）  には管（１０）が軸方向に摺動可能に挿着される。該管（１０）に押込み力が及ぼされた場合、該管（１０）の奥端が該緩衝リング（２１）の受止壁部（２３）に衝突してこれを奥側に押圧する。該受止壁部（２３）は該受止壁部（２３）の内周から奥側に傾斜しているから、該管（１０）に押された時傾斜角度が大きくなる方向に円滑に弾性的に変位して、該衝突力を緩和する。
【０００７】
【発明の実施の形態】
本発明の一実施例を図１〜図８に示す。図１に示す排水ます（１）  は、ます本体部（２）  と、該ます本体部（２）  上側開口部に設けられる点検筒の受口部（３）  と、該ます本体部（２）  の側周面から差出されている本流管（１０，１０）  の受口部（１４）および挿口部（５）  と、更に該ます本体部（２）  の側周面から差出されている枝管（１１）の受口部（６）  とからなる。該本流管（１０）の受口部（１４）においては、基管（１４Ａ）  からは、段部（１７）を介して管受口部（１６）が拡径形成されている。該管受口部（１６）の内周において、先端部にはゴム輪装着溝（１８）が形成されており、奥端部には巾広の緩衝リング装着溝（１９）が形成されており、該緩衝リング装着溝（１９）の奥端面は該段部（１７）内側の段面（１７Ａ）  である。該管受口部（１６）の内周において、該ゴム輪装着溝（１８）よりも先端側は外側に向けて径を拡大するテーパー面（１６Ａ）  とされ、また該ゴム輪装着溝（１８）と該緩衝リング装着溝（１９）との間は内側に凸な凸面（１６Ｂ）  とされている。
【０００８】
該管受口部（１６）のゴム輪装着溝（１８）にはゴム輪（２０）が装着され、該緩衝リング装着溝（１９）には緩衝リング（２１）が装着されている。本実施例の緩衝リング（２１）は図３に示すように外周壁部（２２）と、該外周壁部（２２）の中間において内周から奥側に傾斜して差出されているる受止壁部（２３）と、該受止壁部（２３）の内周縁から奥側に向けて差出されている内周壁部（２４）と、該外周壁部（２２）の内周において、該受止壁部（２３）の前側に形成されている芯出しリング装着溝（２５Ａ）  とからなる。
【０００９】
該緩衝リング（２１）は該管受口部（１６）の緩衝リング装着溝（１９）に装着された状態で、該緩衝リング（２１）の内周壁部（２４）の端縁が該管受口部（１６）内周奥端の段面（１７Ａ）  に当接している。
図４に示すように、該緩衝リング（２１）の芯出しリング装着溝（２５Ａ）  には芯出しリング（２５）が装着される。該芯出しリング（２５）は図５に示すように切欠き円環状であり、断面略コの字形であって内側には変形を容易にするために複数個の切り込み（２６）が設けられている。
【００１０】
該管受口部（１６）には図６に示すように本流管（１０）が挿着接続される。該本流管（１０）の内径ｄを該緩衝リング（２１）の内周壁部（２４）の内径ｄに等しく設定しておけば、本流管（１０）と緩衝リング（２１）との間の内周に段差が出来ず、水の流れが円滑になる。該本流管（１０）は該挿着状態において該ゴム輪（２０）と該緩衝リング（２１）の芯出しリング（２５）とに支持され、該本流管（１０）の軸線Ａ１  と該管受口部（１６）の軸線Ａ２  とが略一致するよう芯出しされている。そして軸線Ａ１  Ａ２  方向の外力に対しては矢印イに示すように該軸線に沿って前後摺動が可能であり、軸線Ａ１  Ａ２  に対して放射方向の外力に対しては、該管受口部（１６）の内周の凸面（１６Ｂ）  の頂点を支点として矢印ロに示すようにすりこぎ運動が可能である。
【００１１】
本実施例において、図７に示すように本流管（１０）に矢印イＡに示す押込み力が及ぼされた場合、該本流管（１０）は点線位置から実線位置に移動するが、該緩衝リング（２１）の受止壁部（２３）と内周壁部（２４）とは該本流管（１０）端末と該管受口部（１６）の段面（１７Ａ）  との間に挟圧され、図８に詳細に示すように実線状態から点線状態に弾性的に変形する。
このようにして該押込み力は該緩衝リング（２１）の弾性的な変位変形によって吸収され、該本流管（１０）は排水ます（１）  の本体（２）  内へ押込まれることを阻止される。
なお該本流管（１０）の内径ｄを該緩衝リング（２１）の内周壁部（２４）の内径ｄに等しく設定されているので、本流管（１０）と緩衝リング（２１）との間の内周に段差が出来ず、地殻変動により、本流管（１０）が押し込まれた状況であっても、水の流れはほぼ円滑になる。
【００１２】
本発明の管受口部は例えばポリ塩化ビニル、ポリエチレン、ポリプロピレン等の合成樹脂からなり、緩衝リングはゴム、エラストマー、あるいはポリエチレン、ポリプロピレン等の可撓性のあるプラスチック、好ましくは若干硬質なゴムからなり、芯出しリングはゴム、エラストマー、望ましくはポリエチレン、ポリプロピレン等の可撓性プラスチックからなる。
なお本発明の管受口部は、排水ますの本流管受口部のみならず、枝管受口部や点検筒受口部に適用されてもよい。
【００１３】
【発明の効果】
本発明では上記したように緩衝リングの受止壁部の弾性的な変位変形によって管に及ぼされる押込み力を吸収するから、該受止壁部の変位変形量は圧縮変形よりも大きく、大きな押込み力にも対応することが出来る。
【図面の簡単な説明】
図１〜図８は本発明の一実施例を示すものである。
【図１】排水ますの管受口部斜視図
【図２】管受口部分側断面図（ゴム輪および緩衝リング装着状態）
【図３】緩衝リング正面図
【図４】管受口部分側断面図（芯出しリング装着状態）
【図５】芯出しリング正面図
【図６】管接続状態の管受口部分側断面図
【図７】押込み力が及ぼされた場合の管受口部上半部分側断面図
【図８】緩衝リング変位変形状態の説明断面図
【図９】排水ますの説明斜視図
【図１０】従来例の説明部分側断面図
【符号の説明】
１６                管受口部
１８                ゴム輪装着溝
１９                  緩衝リング装着溝
２０                  ゴム輪
２１                    緩衝リング
２２                    外周壁部
２３                    受止壁部
２４                  内周壁部
２５                    芯出しリング
２５Ａ                  芯出しリング装着溝
【図１】
0003571251.tif 000002
【図２】
0003571251.tif 000003
【図３】
0003571251.tif 000004
【図４】
0003571251.tif 000005
【図５】
0003571251.tif 000006
【図６】
0003571251.tif 000007
【図７】
0003571251.tif 000008
【図８】
0003571251.tif 000009
【図９】
0003571251.tif 000010
【図１０】
0003571251.tif 000011